(57)【要約】【課題】バルブの開閉で収容液の注出操作を行えるバッグインボックスを、上記洗濯用液体洗剤や柔軟剤などの液体を収容する容器とし、計量カップにて収容液を計量して適量の注出が簡単に行えるようにし、その計量カップの取り扱いを簡便にする。【解決手段】上面が開放のカップ本体２と、カップ本体２の上面に重ね合わせ可能な蓋体３とからなり、蓋体３は、下向き注出管に取り付け可能な取付部７を備え、蓋体３のカップ本体への重ね合わせと取付部７の下向き注出管への取り付けとにより、カップ本体２が、下向き注出管に対してこの下向き注出管から注出される液体を下受けする箇所に位置するようにした。【選択図】図１
2010285168.tif 000002
【特許請求の範囲】
【請求項１】
バッグインボックスの開閉バルブの下向き注出管に取り付ける計量カップであって、
上面が開放のカップ本体と、前記カップ本体の上面に重ね合わせ可能な蓋体とからなり、前記蓋体は、前記下向き注出管に取り付け可能な取付部を備え、蓋体のカップ本体への重ね合わせと前記取付部の下向き注出管への取り付けとにより、前記カップ本体が、下向き注出管に対してこの下向き注出管から注出される液体を下受けする箇所に位置する構成とされていることを特徴とするバッグインボックス用計量カップ。
【請求項２】
上記蓋体には切り欠き部が設けられていて、蓋体をカップ本体の上面に位置させたときに前記切り欠き部を通してカップ本体内が目視可能となるように構成されている請求項１に記載のバッグインボックス用計量カップ。
【請求項３】
カップ本体と蓋体とはセルフヒンジを介して一体に連接されている請求項１または２に記載のバッグインボックス用計量カップ。
【発明の詳細な説明】
【技術分野】
【０００１】
本発明は、洗濯用液体洗剤や柔軟剤などを収容したフレキシブルな内袋を段ボール製、厚紙製の外箱に収納したバッグインボックスのコックバルブに取り付ける計量キャップに関するものである。
【背景技術】
【０００２】
従来から洗濯用液体洗剤や柔軟剤などは一般的に使用量を定めて使用することが好ましく、液体洗剤や柔軟剤を収容しているボトルタイプの容器にあっては、計量用の用具を備えているものが多く流通していて、その取付形態においても各種のものが提案されている。例えば、特許文献１に示されているように手押しポンプを有するボトルタイプのポンプアップの容器において、その手押しポンプの頭部とその頭部から側方に突出するノズルまでに亘ってカバーを取り付け、そのカバーのノズル先端側に計量用のカップを着脱可能にして配して、ノズルから吐出する液体をカップで受けるようにした工夫がある。
【０００３】
また、特許文献２に示されているように、ボトル容器の側面に計量カップを着脱可能にして取り付け、容器の口部に取り付けたポンプの吐出管をその計量カップに差し入れるようにした工夫も提案されている。
【０００４】
一方、収容量が大きい容器では、合成樹脂製で柔軟な内袋を厚紙製や段ボール紙製の外箱に入れたバッグインボックスと称されている容器があり、このバッグインボックスタイプの容器を利用した商品にあっても、収容物の液体を計量しながら利用できるようにした工夫が提案されている。例えば、特許文献３に示されているように、内袋のスパウトがフィルムで閉じられた状態で外箱の内方から外方にかけて突出する形でその外箱に固定し、そして、外箱の外方から、前記フィルムを破る部分のある注出口具、その注出口具を前記スパウトに固定する固定具、固定部にねじ付けにより着脱できて前記注出口具を覆う計量キャップとからなる注出口を組み付けるようにしたものがある。そして、この容器では計量キャップを取り外し、容器を傾けて注出口具から液体を計量キャップに注ぎ出すことで計量できるようにしている。
【０００５】
また、特許文献４に示されているように、バッグインボックスとして、使用者側でスパウトを開閉栓で閉じている内袋の前記開閉栓を、スパウトとともに外箱に開口した取り出し口に位置させることができるようにした容器があり、開閉栓から注ぎ出す液体を計量するための計量カップを、予め外箱と内袋との間の所定箇所に収め入れ、外箱の前記計量カップが配されている部分を使用者が必要時に開いてその計量カップを取り出すことができるようにしている。
【先行技術文献】
【特許文献】
【０００６】
【特許文献１】実用新案登録第２５９５２５８号公報
【特許文献２】実公平０６−０２９６９３号公報
【特許文献３】実開平０５−００７６２７号公報
【特許文献４】特表平０３−５０５１９３号公報
【発明の概要】
【発明が解決しようとする課題】
【０００７】
ところで洗濯機は一般家庭において室内置きされ、キャビネットやラックなどを利用して洗濯に際して使用する各種の用品をその洗濯機の近傍に据え置き、手の届く手近な位置からこれらの用品が取り出せるようにすることが一般的であり、洗濯用液体洗剤や柔軟剤などの商品も洗濯機の近くの位置、例えば、洗濯機上の棚などに置いて使用されている。このように、洗濯用液体洗剤や柔軟剤などを洗濯機の近くに置いておくことで必要時にこれらの製品を洗濯機の近くまで持ち運ぶ手間は無いが、しかしながら、上述したように洗濯用液体洗剤や柔軟剤などを計量して適量を洗濯機の洗濯槽に入れようとする場合、上述した計量キャップが被せ付けられているボトル容器からなる製品や、バッグインボックスの一部に注出口具を固定してこれを計量キャップで覆っている製品の場合、容器から計量キャップを取り外し、その容器を手持ちして傾け、取り外した計量キャップに収容液を注ぎ込むため、計量が簡単に行えるものとはなっていなかった。そして、計量済みの収容液を注いだ後も計量キャップ内部が収容液の残液で濡れていて、そのまま注出口側に戻すと残液の垂れによって洗濯機周辺を濡らす可能性もあり、そのため計量キャップを水洗いして容器に戻す手間をかけていた。
【０００８】
また、上述したポンプアップタイプであって計量カップを着脱可能に取り付けた容器をこれら洗濯用液体洗剤や柔軟剤を収容した製品に採用ことも考えられるが、手押しポンプ機構を容器に設けることから、容器自体の製造コストが高くなるという問題があり、さらには手押しするポンプの上げ下げ操作で適量を調整して注ぎ出すことは困難である。
【０００９】
本発明者は、バッグインボックスタイプの容器であって注出口を容器側面から引き出してその注出口に開け閉め操作できるコックバルブを備える容器では、コックの開け閉め操作で注出およびその停止が簡単に行えるとともに、容器を棚上などに置いた状態で容器自体を持ち上げたり傾けたりせずにそのバルブ開閉操作で収容液の注出が行えることに着目した。そこで、本発明は、このバルブの開閉で収容液の注出操作を行えるバッグインボックスを、上記洗濯用液体洗剤や柔軟剤などの液体を収容する容器とし、計量カップにて収容液を計量して適量の注出が簡単に行えるようにすることを課題とし、その計量カップの取り扱いを簡便にすることを目的とするものである。
【課題を解決するための手段】
【００１０】
本発明は上記課題を考慮してなされたもので、バッグインボックスの開閉バルブの下向き注出管に取り付ける計量カップであって、上面が開放のカップ本体と、前記カップ本体の上面に重ね合わせ可能な蓋体とからなり、前記蓋体は、前記下向き注出管に取り付け可能な取付部を備え、蓋体のカップ本体への重ね合わせと前記取付部の下向き注出管への取り付けとにより、前記カップ本体が、下向き注出管に対してこの下向き注出管から注出される液体を下受けする箇所に位置する構成とされていることを特徴とするバッグインボックス用計量カップを提供して、上記課題を解消するものである。
【００１１】
そして、本発明において、上記蓋体には切り欠き部が設けられていて、蓋体をカップ本体の上面に位置させたときに前記切り欠き部を通してカップ本体内が目視可能となるように構成されているものとすることが良好である。
【００１２】
また、本発明において、カップ本体と蓋体とはセルフヒンジを介して一体に連接されているものとすることが良好である。
【発明の効果】
【００１３】
（請求項１の発明の効果）
請求項１に係る発明によれば、構造が極めて簡単であって製造コストが安価であり、そして、バッグインボックスのバルブ注出口具における注出管に取り付けることで、キャップ本体がその注出管から注出する液体を下受けする部分に配置されるため、計量カップを取り付けるという簡単な操作で注出を受ける準備が整い、計量が手間無く行えるようになる。
【００１４】
（請求項２の発明の効果）
請求項２の発明によれば、蓋体の切り欠きを通してカップ本体に入る液量を確認しながら収容液の注出が行なえ、注出量の調整が簡単になる。
【００１５】
（請求項３の発明の効果）
請求項３の発明によれば、蓋体とカップ本体とが散逸することを防止できる。また、セルフヒンジの部分を中心にして蓋体をカップ本体の上面側に回動させてカップ本体の上面に配すれば、蓋体の取付部の下にそのカップ本体が位置し、この状態のままバルブの下向き注出口管に前記取付部を取り付けることで、下向き注出口管の管口にカップ本体が対応位置することになり、計量カップに手を添えて支持することなしに収容液の注出が行える。
【図面の簡単な説明】
【００１６】
【図１】本発明に係る計量カップの一例を示すもので、（ａ）は注ぎ口側を示す説明図、（ｂ）は注ぎ口側とは反対となる側を示す説明図である。
【図２】一例において蓋体を開いて上方から見た状態で示す説明図である。
【図３】一例において（ａ）は上方から見た状態を示す説明図、（ｂ）は注ぎ口側から見た状態を示す説明図、（ｃ）は一方の側方から見た状態を示す説明図である。
【図４】一例を用いるバッグインボックスタイプの容器を示す説明図である。
【図５】容器の開閉バルブを断面で示す説明図である。
【図６】一例の取付状態を示す説明図である。
【図７】一例の下向き注出管への取付を示す説明図である。
【図８】他の例における取り付けを示す説明図である。
【発明を実施するための形態】
【００１７】
つぎに本発明を図１から図８に示す実施の形態に基づいて詳細に説明する。
図中１はバッグインボックス用の計量カップで、図１〜３に示すように該計量カップ１は上面２ａが開放されている箱状のカップ本体２と、このカップ本体２の上面２ａに被せ付けてその上面２ａに重ね合わせる蓋体３とからなるものである。このカップ本体２と蓋体３とは合成樹脂材から成型されていて、図１に示す実施の形態では後述するようにカップ本体２の上面２ａから開いた状態にしてカップ本体２と蓋体３とが一体に形成され、必要に応じてその蓋体３を前記上面２ａに被せ付けているものである。
【００１８】
（カップ本体）
カップ本体２は図３に示されているように四方の側面２ｂが外方に向けて傾斜していて底面２ｃ側から開放の上面２ａ側に向けて略テーパー状に広がる形状に設けられていて、一面の側面２ｂの上部を他の三面の側面上部より段落としにするとともに、その上部中央に外方に向けて嘴状に凸とした注ぎ口２ｄを設けている。また、カップ本体２の前記注ぎ口２ｄ以外の三辺の上部は外方に向けて張り出るフランジ２ｅが設けられている。
【００１９】
（蓋体）
上記カップ本体２の開放上面に被せ付けられる蓋体３は、図３に示されているようにカップ本体２の幅方向に対向する対の辺部３ａそれぞれが、そのカップ本体２の幅方向に対向する位置にある上記フランジ２ｅに対応して接しているとともに、カップ本体２の上記注ぎ口２ｄ側とは反対の位置となる辺部３ｂが、カップ本体２の残り一辺（注ぎ口側とは反対側の側面の上部）のフランジ２ｅに対応して接していて、この注ぎ口２ｄ側とは反対側となる前記辺部３ｂが、セルフヒンジ部４を介して前記フランジ２ｅに連続していて、セルフヒンジ部４を介して上記カップ本体２とこの蓋体３とが一体にして成型されており、セルフヒンジ部４を中心にして蓋体３は回動可能にしてカップ本体２に連続し、カップ本体２の上面２ａ側に倒し込むことで、辺部３ａ，３ｂそれぞれがフランジ２ｅに接し、蓋体３がカップ本体内に落ち込むことなくその上面２ｅに被せ付けられて重ね合わされている。
【００２０】
さらに、蓋体３は図示されているようにカップ本体２の前後方向での寸法が、カップ本体２の注ぎ口２ｄが位置する段落ちした箇所を覆わない寸法としているとともに、セルフヒンジ部４側の両隅となる箇所に切り欠き部５があり、この切り欠き部５を通してカップ本体２の内部が目視可能に設けられている。すなわち、蓋体３がカップ本体２の開放の上面２ａに位置している状態でそのカップ本体２に液体が注ぎ込まれている場合に、その液体の注ぎ込みの強さの程度や液面の高さ位置を前記切り欠き部５を通して確認できるように設けられているとともに、注ぎ込みの終了後、カップ本体２に蓋体３が被せ付けられた状態でそのカップ本体２の内部の液体を、この計量カップ１の単体で注ぎ口２ｄが下となるように傾けることで、蓋体３自体が注ぎ出しに干渉することなしに注ぎ口２ｄから液体を注ぎ出すことができるようにしている。
【００２１】
また、さらに蓋体３には、この蓋体３の中央であって上記注ぎ口２ｄ側に向けて開いて内縁形状を略Ｕ字状とした開放部６を設け、その開放部６の内縁に連続して計量カップ１での上方となる側に向けて延設された横断面略Ｕ字状の壁体からなる取付部７が設けられている。このように下面部分を開放部６としていて略Ｕ字状の壁体からなる取付部７は、その内部に後述するようにバッグインボックスの開閉バルブの下向き注出管を嵌め付けできるものであって、取付部７が前記下向き注出管を挟持するようにこの取付部３をバッグインボックスの開閉バルブに取り付けることで、下向き注出管の管口の下方にカップ本体２が対応位置し、下向き注出管からの液体を下受けすることができるように設けられている（図６、図７参照）。
【００２２】
（蓋体の被せ付け維持）
上述したように、カップ本体２の開放の上面２ａに被せ付けることができるようにして蓋体３がセルフヒンジ部４を介して回動可能に設けられているが、図示の実施の形態では、カップ本体２の上面２ａにこの蓋体３を被せ付けたときにはその重ね合わせ状態が維持されて、カップ本体２にほぼ満杯にして液体が注ぎ込まれた場合の重さが加わってもカップ本体２が蓋体３から離れることがないように前記セルフヒンジ部４に、蓋体重ね合わせ状態を維持する曲がり癖が付けられている。勿論、蓋体３の重ね合わせ状態をより安定的なものとするために、蓋体３の上記一対の辺部３ａに、その辺部３ａが対応するフランジ２ｅに対して係脱可能に係止する係止手段を一体に設けて、辺部３ａをフランジ２ｅに係止させるようにしたり、蓋体３の一対の辺部３ａを前記フランジ２ｅに超音波溶着やヒートシールにて固定してもよい。
【００２３】
（バッグインボックスタイプの容器）
図４は本実施の形態の計量カップを利用するバッグインボックスタイプの容器８の一例を概略的な断面で示している。この容器８は液体を収容している合成樹脂製のフレキシブルな内袋８ａを厚紙製や段ボール製の外箱８ｂに収め、内袋８ａのスパウトに装着した開閉バルブ８ｃを外箱８ｂの一側面板の下部側から外方に突出するようにして配置して固定したものである。そして、開閉バルブ８ｃは図５に示されているようにスパウトに対する接続管８ｄの突出先端に下向き注出管８ｅの側部がつながり、下向き注出管８ｅの内部に回転を伴なって上下に移動可能にして配した栓体８ｆの上部を回転操作部分とし、栓体８ｆの上部を下向き注出管８ｅの上部に螺合させ、栓体８ｆの上げ下げで下向き注出管８ｅと接続管８ｄとの連通部分を開けたり閉めたりすることができるものであり、栓体８ｆを上げて前記連通部分を開くと、下向き注出管８ｅの下部の管口８ｇから、内袋に収容されている液体が注出される。
【００２４】
上記容器８においては、図示されているように外箱内の下部側に内袋収納空間から仕切られている計量カップ収納部８ｈがあり、内袋に洗濯用液体洗剤や柔軟剤などが充填されている容器が商品として一般購入者の手に届くまでの流通段階では、この計量カップ収納部に計量カップが収められており、購入者側では、外箱の計量カップ収納部に応じた部分を開いて取り出すことができるように設けられているものである。なお、流通段階でこの計量カップ収納部に入れる計量カップは、上記蓋体とカップ本体とが開いた状態としたり、或いは蓋体がカップ本体の開放上面に重ね合わされている状態のものであっても構わない。
【００２５】
本実施の形態の計量カップ１を使用する場合は、上述したようにバッグインボックスの容器内から計量カップを取り出し、蓋体がカップ本体の開放上面に被せ付けられている状態にして上記取付部７を下向き注出管に嵌め付けることで（図７）、その下向き注出管８ｅに計量カップ１自体が落下することなしに着脱可能に取り付けられ、管口がカップ本体の内方に臨むようにカップ本体２が下向き注出管の下方に対応位置し、これによって前記管口から注出される液体をカップ本体２が下受けするようになる（図６）。その後、開閉バルブを開き、切り欠き部を通してカップ本体内部への液体の注ぎ込み状態や液面高さを確認して、必要に応じて開閉バルブを閉じる。そして、計量カップ全体を手前に引くことで取付部７が下向き注出管８ｅから外れ、その取り外した計量カップから計量済みの液体を洗濯槽に入れるようにする。計量中の計量カップ自体を手で支える必要はなく、容器８から注出する液体の計量が頗る簡単になる。
【００２６】
図８は他の実施の形態を示している。この実施の形態では計量カップ１は、カップ本体２と蓋体３とが上述した実施の形態におけるセルフヒンジ部を有さずに別体となっている点と、前記蓋体３におけるカップ本体２の幅方向に対向する一対の辺部３ａに亘ってスライド溝３ｃが設けられ、このスライド溝３ｃにカップ本体２の幅方向に対応するフランジ２ｅがスライド可能となり、手前から容器８側に向けて、また容器８側から手前側へとカップ本体２がスライド可能にして蓋体３に支持される点、そして、カップ本体２をさらに手前へ引き出すことで蓋体３からカップ本体２が外れるようになっている点で相違している。
【００２７】
この実施の形態での計量カップを使用する方法は、ほぼ上記実施の形態と同様であり、蓋体３を容器８の開閉バルブにおける下向き注出管に取り付けて後、カップ本体２を上述のようにフランジ２ｅを蓋体３のスライド溝３ｃに入れてカップ本体２を所定位置までスライドさせることでそのカップ本体２が下向き注出管から注出される液体を下受けする箇所に配され、上記実施の形態と同じように注出される液体の計量を行ない、その後にカップ本体２を手前に引き出して蓋体３から外すことでカップ本体２単独で液体を洗濯槽に注ぎ入れることができる。注いだ後には再び蓋体３にセットしておけばよい。
【符号の説明】
【００２８】
１…計量カップ
２…カップ本体
２ａ…上面
２ｅ…フランジ
３…蓋体
４…セルフヒンジ部
５…切り欠き部
６…開放部
７…取付部
８…バッグインボックスタイプの容器
８ａ…内袋
８ｂ…外箱
８ｃ…開閉バルブ
８ｅ…下向き注出管
８ｆ…栓体
８ｇ…管口
８ｈ…計量カップ収納部
【図１】
2010285168.tif 000003
【図２】
2010285168.tif 000004
【図３】
2010285168.tif 000005
【図４】
2010285168.tif 000006
【図５】
2010285168.tif 000007
【図６】
2010285168.tif 000008
【図７】
2010285168.tif 000009
【図８】
2010285168.tif 000010